(57)【特許請求の範囲】
【請求項１】
片口金ランプの口金を挿入可能な口金収容部をソケット本体に対し回動自在に軸着し、ソケット本体の底板に口金収容部の底板が重合される装着位置とソケット本体の底板から口金収容部の底板が離れる着脱位置を回動により切り換えるソケットにおいて、ソケット本体（１）の底板（２）に口金収容部（２０）の底板（２３）が重合された際に、口金底面が表面に接すると共に表面に設けたピン挿通孔に導通用のピンが挿通される口金受け止め座（１０Ａ、１０Ｂ）を、ソケット本体の底板表面に対し異極のピン挿通孔ごとに独立して隆起させて設けると共にこれらの口金受け止め座（１０Ａ、１０Ｂ）間に間隔を開けることにより谷部分（Ｔ）を形成し、口金収容部の底板には上記口金受け止め座が露出する窓を設けた片口金ランプ用ソケットにおいて、それぞれの口金受け止め座（１０Ａ、１０Ｂ）同士の対向する立ち上がり壁の中央付近に壁を弧状に後退させた切り欠き部（１１Ａ、１１Ｂ）を設けることにより、沿面距離を更に長くしたことを特徴とする片口金ランプ用ソケット。
【発明の詳細な説明】
【技術分野】
【０００１】
この発明は片口金ランプのソケットに関し、特にランプの口金の接触箇所におけるトラッキング現象の防止に意を払ったソケットに関する。
【背景技術】
【０００２】
底面に複数本の口金ピンを突設した口金を有するランプとしていわゆる片口金ランプが公知である。この種のランプの代表的なものとしては、一本のチューブを中央において折曲し、折曲両端を近接する形状とし、この折曲両端基部を耐熱絶縁素材により成形された口金により固定し、この口金底面に一対二組の導通用のピンが突設されたものが挙げられる。
【０００３】
そしてこの種のランプを装着するソケットとしては、口金の両端の突起を含む口金の片側面を抱持する壁体を成形し、このソケット本体の底板にランプの導通用のピンを挿通するピン挿通孔を設け、一方、壁体の両端面の内側には口金の両端の突起が収容されるべき切欠凹部を設けると共に、この切欠凹部内にはこの突起の一側に沿った形状にして、且つその頂上を庇状に覆う形状に先端を折曲した係止具を設けたもの（特許文献１）や、口金の両端の突起を含む口金の片側面を抱持する壁体を成形し、このソケット本体の底板にランプの導通用のピンを挿通するピン挿通孔を設け、一方、壁体の両端面の内側には口金の両端の突起が係止すべき係止部を設けたもの（特許文献２）が公知である。これらのソケットにおいては、ソケットの底板に口金の外側エッジを接し、これを支点としてランプを起こすように回動することによりピン挿通孔にピンが、係止部に突起が挿入嵌合係止されてランプがソケットに圧接力をもって装着された。
【０００４】
又、底面に導通用のピンを突設すると共に、両端側壁に係止用の突起を設けた片口金ランプの口金を挿入可能な口金収容部をソケット本体に対し回動自在に軸着し、ソケット本体の底板に口金収容部の底板が重合される装着位置とソケット本体の底板から口金収容部の底板が離れる着脱位置を回動により切り換える形式のソケットも公知である（特許文献３）。
【特許文献１】特開平９−１６１９２２号公報
【特許文献２】特開平１−１６１６８６号公報
【特許文献３】特開２００２−７５５６５公報
【発明の開示】
【発明が解決しようとする課題】
【０００５】
ところで、近年、ソケットに差し込んだピンの周辺に埃、湿気などが付着し、局部的に絶縁性能が低下した際に電流が流れ、微少なショートを起こして火花放電が繰り返され、その熱が絶縁部を加熱し表面に炭化経路（トラック）が形成され出火するトラッキング現象が大きな問題となっている。
【０００６】
前記の片口金ランプ用ソケットの場合、ランプの異極の導通用のピンが接近して配されるのでピン間の空間距離を充分確保できず、トラッキング現象が生じる余地があった。
【課題を解決するための手段】
【０００７】
この発明は、以上の課題を解決するために創作されたものであり、底面に複数本の口金ピンを突設した口金を有する片口金ランプの口金底面が表面に接すると共に、表面に設けたピン挿通孔に導通用のピンが挿通される口金受け止め座をソケット本体の底板表面に設けた片口金ランプ用ソケットにおいて、口金受け止め座の異極のピン挿通孔間に谷部分を設けたことを特徴とする。
【発明の効果】
【０００８】
片口金ランプの口金のピン同士のピッチは規格によって決定されるので、ピン間の空間距離を動かすことはできない。しかしながら、この発明においては口金受け止め座の異極のピン挿通孔間に谷部分を設けているので、絶縁体である口金受け止め座の表面に沿った最短距離である沿面距離をピン間の空間距離に対して長くすることが可能となり、耐トラッキング性が向上する効果を奏する。
【発明を実施するための最良の形態】
【０００９】
以下、この発明の具体的実施例を添付図面に基づいて説明する。ここでは、この発明が実施されるソケットとして、ソケット本体１とこのソケット本体に対し回動自在に軸着される口金収容部２０から構成される特許文献３において公知なソケットを例にとる。
【００１０】
口金収容部２０は片口金ランプＬの口金Ｓを開口Ｈから挿入して保持するために内部を口金の形状に沿った形状としたプラスチック製の容器状のものであり、口金を受け止めるための底板２３の周囲に口金の周側を抱持するための周側壁２１が起立する構成とされる。この周側壁２１には挿入時に口金Ｓの両端側壁の係止用の突起Ｓ１を逃がし、それを露出させるための一対のスリット２２が設けられる（図３参照）。又、底板２３には装着位置において後記するソケット本体１の底板２の口金受け止め座１０Ａ、１０Ｂが露出する窓２４が設けられる。
【００１１】
ソケット本体１は装着位置において前記の口金収容部２０を重合状態で受け止める上方及び前方が開口したプラスチック製の半容器状のものであり、口金収容部の底板２３が重合可能な底板２の三方に背板５及び両側壁３が起立する構成とされ、背板５の裏面が照明器具Ｗへの取り付け面となる（図５及び６参照）。この両側壁３には装着位置において口金収容部２０の一対のスリット２２から露出したランプＬの口金Ｓの両端側壁の係止用の突起Ｓ１が係止されるよう、これらの突起の一側に沿った形状の抜け止め凹部４が設けられる。
【００１２】
図２及び図７はこの発明の要部を示す図である。前記の底板２の表面には、ここに口金収容部２０の底板２３が重合された際に、窓２４から露出された口金Ｓの底面が表面に接すると共に表面に設けたピン挿通孔７Ａ、７Ｂに導通用のピンＰ１、Ｐ２が挿通される口金受け止め座１０Ａ、１０Ｂが隆起して設けられる。この発明においては、上記の口金受け止め座を異極のピン挿通孔７Ａ、７Ｂごとに独立して間隔を開けて隆起させることにより、それぞれの口金受け止め座１０Ａ、１０Ｂ間に谷部分Ｔを形成して、ピンＰ１、Ｐ２間の空間距離に対しソケット本体の表面に沿った沿面距離を長くしている。又、この実施例においてはそれぞれの口金受け止め座１０Ａ、１０Ｂ同士の対向する立ち上がり壁の中央付近に壁を弧状に後退させた切り欠き部１１Ａ、１１Ｂを設けることにより、沿面距離を更に長くしている。尚、図７における図中符号３０は、前記のピン挿通孔７Ａ、７Ｂ下方に配されることにより、ピンＰ１、Ｐ２の挿通時にこれらが接触すべき刃受け状の接触金具である。
【００１３】
以上の口金収容部２０はソケット本体１に対し軸着部をもって回動自在に軸着される。そのため、ソケット本体１の底板２の背板５に対向する開放側両端には軸８が突設されると共に、口金収容部２０の周側壁両端から垂下された張り出し片２５にはこの軸８が挿入されるべき軸孔２６が設けられる。これらの軸と軸孔の形状は真円でなく回転時に互いが係止する係止部が生じるように構成されると共に、強制的に回転した場合に互いの変形により係止部を乗り越えることが可能な程度の弾性を有する素材により軸又は軸孔又はこれらの双方が構成される。
【００１４】
以上の構成よりなるこの発明のソケットは、天井等の壁面に取り付けられた照明器具Ｗに取り付けられ、口金収容部２０をその開口Ｈがソケット本体１に対し傾斜して位置するよう回動することによりランプＬの着脱位置にセットされ（図５参照）、ランプＬの口金Ｓを口金収容部２０にその開口Ｈより挿入し、装着位置まで回動する。
【図面の簡単な説明】
【００１５】
【図１】この発明の片口金ランプ用ソケットの斜視図。
【図２】同上、要部の斜視図。
【図３】同上、口金収容部の斜視図。
【図４】同上、ランプの着脱位置の斜視図。
【図５】同上、ランプの着脱位置の側面図。
【図６】同上、要部の断面図。
【符号の説明】
【００１６】
Ｔ        谷部分
１        ソケット本体
２      （ソケット本体の）底板
７Ａ      ピン挿通孔
７Ｂ      ピン挿通孔
１０Ａ    口金受け止め座
１０Ｂ    口金受け止め座
２０      口金収容部
２３    （口金収容部の）底板
【図１】
0004827603.tif 000002
【図２】
0004827603.tif 000003
【図３】
0004827603.tif 000004
【図４】
0004827603.tif 000005
【図５】
0004827603.tif 000006
【図６】
0004827603.tif 000007